(57)【要約】【課題】室内の壁や自動車に吊り下げて装飾品となる他、鞄等にも収納可能で、しかも、脱臭剤、芳香剤、化粧用小物、裁縫用小物、アクセサリー等を収納することができ、必要に応じて内容物の交換が容易にできる俵袋とその製造方法を提供する。【解決手段】上端部と胴部１５の間を内側に二つ折りにして、二つ折りの端部から２．０〜１０ｍｍを残して縫い合わせて上ヒダ１３を設け、下端部と胴部１５の間を内側に二つ折りにして、二つ折りの端部から２．０〜１０ｍｍを残して縫い合わせて下ヒダ１７を設け、これを裏返して、左右の側端部を２．０〜１０ｍｍを残して、上端部と下端部を縫い合わせ、上端部と下端部の末端を結束、閉鎖して、側面の開口部２３より裏返して袋状にした俵袋１００とその製造方法である。【選択図】図６
2006094937.tif 000002
【特許請求の範囲】
【請求項１】
上端部と胴部の間を内側に二つ折りにして、二つ折りの端部から２．０〜１０ｍｍを残して縫い合わせて上端部に上ヒダを設け、下端部と胴部の間を内側に二つ折りにして、二つ折りの端部から２．０〜１０ｍｍを残して縫い合わせて下端部に下ヒダを設け、これを裏返して二つ折りにし、左右の側端部を２．０〜１０ｍｍを残して、上端部と下端部を縫い合わせ、上端部と下端部の末端を結束、閉鎖して、側面の開口部より裏返して袋状にしたことを特徴とする俵袋の製造方法。
【請求項２】
上端部と下端部の末端を結束、閉鎖して、上端部に上部ヒダと下端部に下部ヒダを有し、側面に開口部を有することを特徴とする俵袋。
【請求項３】
上端部、下端部に装飾用の紐を設けたことを特徴とする請求項２に記載の俵袋。
【請求項４】
下端部の末端を結束、閉鎖して、上端部に上部ヒダと下端部に下部ヒダを有し、前記上端部に紐通しを設け、上端部を開口部としたことを特徴とする巾着状の俵袋。
【発明の詳細な説明】
【技術分野】
【０００１】
本発明は、芳香剤、脱臭剤、化粧用小物、裁縫用小物、アクセサリー等を収納することができると共に、室内の壁、あるいは自動車の車内等に吊り下げたり、鞄等に収納することができる俵袋とその製造方法に関する。
【背景技術】
【０００２】
従来から、芳香剤などを収納した臭い袋等の小袋は巾着形状のものが多く存在している。例えば、特許文献１では、底ガゼットの寸法を、袋の幅の４分の１にすると共に、その底部の中心に入れて固定する円形の内底紙の半径を、そのガゼットの寸法よりも約２割長い寸法とすることを特徴とする、ポリエチレン等のプラスチックフィルムによる底ガゼットで、開口部縁折り返しによる紐通しを持ったサイドシート袋とボール紙等による底紙とからなる、丸底巾着袋が開示されている。あるいは、特許文献２には、複数（２コ以上）の内ポケットをつけたアクセサリー等を入れる内ポケット付巾着袋が開示されている。このように、巾着袋の底部の強化と形状を整えるために、底紙を入れたものや、巾着袋の内部にポケットを設けたものが知られている。
【０００３】
さらに、特許文献３には、上端の開放した麻布製巾着内に椰子殻活性炭の粒子を内蔵した通気性不織布の袋を入れ、活性炭上方の巾着首部を紐で縛り、上記首部の全面に上記紐を隠す装飾物を固定したことを特徴とする吸湿脱臭用具が開示されている。また、特許文献４には、弁当箱、コップ等を収容する巾着袋が紐で締め付けられたときに、幼児などが開けにくいという問題があったが、この問題を解決するために巾着の開口部近くに、開口部を左右に引っ張る紐を付ける考案が開示されている。
【０００４】
上記のように、巾着袋の底部の強化と形状を整えるために、底紙を入れたものや、巾着袋の内部にポケットを設けたもの、巾着袋の首部の全面に紐を隠す装飾物を固定した吸湿脱臭用具、あるいは、巾着袋が開口しやすいように、巾着の開口部近くに、開口部を左右に引っ張る紐を付けたものなどが知られている。しかしながら、袋自体が装飾品となり、しかも、脱臭剤、芳香剤、化粧用小物、裁縫用小物、アクセサリー等を収納できるものはなく、その出現が望まれている。
【特許文献１】特開平１０−２７２００８号公報
【特許文献２】実登録第３０５７８３８号公報
【特許文献３】特開２００１−９５９０５号公報
【特許文献４】実登録第３０８８２９０号公報
【発明の開示】
【発明が解決しようとする課題】
【０００５】
本発明は、室内の壁や自動車に吊り下げて装飾品となる他、鞄等にも収納することができて、しかも、袋の内部に脱臭剤、芳香剤、化粧用小物、裁縫用小物、アクセサリー等を収納することができ、必要に応じて内容物の交換が容易にできる俵袋とその製造方法を提供する。
【課題を解決するための手段】
【０００６】
本発明者は、上記課題を解決するために鋭意検討を加えた結果、室内の壁や自動車に吊り下げて装飾品となる他、鞄等にも収納することができる装飾性のある俵袋で、内容物の交換が容易な俵袋を簡単に製造する方法を確立した。
【０００７】
本発明の俵袋の製造方法の特徴は、上端部と胴部の間を内側に二つ折りにして、二つ折りの端部から２．０〜１０ｍｍを残して縫い合わせて上端部に上ヒダを設け、下端部と胴部の間を内側に二つ折りにして、二つ折りの端部から２．０〜１０ｍｍを残して縫い合わせて下端部に下ヒダを設け、これを裏返して二つ折りにし、左右の側端部を２．０〜１０ｍｍを残して、上端部と下端部を縫い合わせ、上端部と下端部の末端を結束、閉鎖して、側面の開口部より裏返して袋状にしたことを特徴とする俵袋の製造方法である。一枚の布等の俵袋材に両端部にヒダを設け、裏返して上端部と下端部を縫い合わせて、両端部の末端を結束して、裏返すという簡単な製造方法で消臭剤や香を入れる袋を作ることができる。
【０００８】
本発明の俵袋の特徴は、上端部と下端部の末端を結束、閉鎖して、上縁部に上部ヒダと下縁部に下部ヒダを有し、側面に開口部を有することを特徴とする俵袋である。袋の両端にヒダを設けることによって、俵袋の形を整えて、形状を安定させることができる。
【０００９】
本発明の俵袋の特徴は、上端部、下端部に装飾用の紐を設けたことを特徴とする請求項２に記載の俵袋である。上端部、下端部に紐を付けることによって装飾性を持たせ、自動車や、室内の壁にぶら下げることができる。
【００１０】
本発明の俵袋の特徴は、下端部の末端を結束、閉鎖して、上端部に上部ヒダと下端部に下部ヒダを有し、前記上端部に紐通しを設け、上端部を開口部としたことを特徴とする巾着状の俵袋である。下端部は結束して閉じ、上端部の末端に紐通しを作って、紐を通して開閉可能とする。この上端部の紐を締めたり、緩めたりすることによって、俵袋の開閉を行うことが出来る。
【発明の効果】
【００１１】
上下にヒダを作って、裏返して側面を縫い合わせるだけで、簡単に俵袋を作ることができる。側面、又は上端部に開口部を有する俵袋は、消臭剤、芳香剤、化粧用小物、裁縫用小物、アクセサリー等を入れたりすることができると共に、入れ替えも容易にできる。装飾を施した布地を用いることによって、消臭作用、芳香作用を入れて室内や車の装飾品として利用することができる。巾着状とすることによって、化粧用小物、裁縫用小物、アクセサリー等の小物入れとしても利用することができる。
【発明を実施するための最良の形態】
【００１２】
以下に図面を用いて、本発明の俵袋の製造方法とその形状を詳細に説明するが、本発明は以下の実施例に限定されるものではない。また、本発明の俵袋に使用される生地の素材は特に限定されるものではなく、紙類（和紙、洋紙）、皮類（動物性の皮、植物性の皮を含む）、合成樹脂製シート類（例えばビニール等）、各種繊維類が例示できる。
【００１３】
本発明の俵袋の製造方法は、図１に示すように、所望の大きさに切断した生地の上端部１２と胴部１５の間を内側に二つ折りにして、二つ折りの端部から２．０〜１０ｍｍを残して縫い合わせて上端部に上ヒダ１３を設け、下端部１６と胴部１５の間を内側に二つ折りにして、二つ折りの端部から２．０〜１０ｍｍを残して縫い合わせて下端部に下ヒダ１７を設ける。これに図２に示すように、上端部１２と下端部１６の端部に紐２１を縫いつけて固定する。次いで、図３に示すように、これを裏返して二つ折りにし、左右の側端部１４を端から２．０〜１０ｍｍを残して、図４に示すように、上端部１２と下端部１６を縫い目１８に沿って縫い合わせる。その後、図５に示すように、上端部１２と下端部１６の末端を結束、閉鎖して、側面の開口部２３より裏返して、図６に示す俵袋を製造方法することができる。
【００１４】
本発明においては、横１６ｃｍ、縦１３．５ｃｍの布地を用いて、上端から３．５ｃｍのところで二つ折りにし、二つ折りの端部から０．５ｃｍ残して縫い合わせ１８てヒダ１３を作った。他端部も同様に下端から３．５ｃｍのところで二つ折りにし、二つ折りの端部から０．５ｃｍ残して縫い合わせ１８てヒダ１７を作った。この上端部１２と下端部１６に、図２に示すように、紐２１を縫いつけた。次いで、図３に示すように、ヒダ部分が内側になるように、裏返して二つ折りにし、左右の側端部１４を端から１０ｍｍを残して、図４に示すように、上端部１２と下端部１６を縫い目１８に沿って縫い合わせた。その後、図５に示すように、上端部１２と下端部１６の末端を結束、閉鎖して、側面の開口部２３より裏返して、図６に示す俵袋１００とした。上部の紐２１には吸盤２２を取り付けて自動車などの窓ガラスに取り付けられるようにした。このように上端部と下端部の末端を結束、閉鎖して、上端部に上部ヒダ１３と下端部に下部ヒダ１７を設けることによって、俵袋１００の形を整えると共に、形状を安定化させることができる。さらに、ヒダ１３の中に芯材を入れて張り持たせてもよい。
【００１５】
本発明の俵袋１００の大きさは、上記実施例の大きさに限定されるものではない。例えば、窓際に吊り下げたり、車に吊り下げたり、化粧用小物、裁縫用小物、アクセサリー等を入れて鞄等に収納したり、その用途に応じて俵袋１００の大きさも異なる。さらに、脱臭剤を入れて消臭機能を持たせたり、吸湿剤を入れて吸湿機能を持たせたり、芳香剤を入れて芳香性を持たせるなど、その用途、中に入れる材質に応じて俵袋の大きさが異なってもよい。また、俵袋の素材は紙類（和紙、洋紙）、合成樹脂製シート類（例えばビニール等）、各種繊維類等、その俵袋の用途、あるいは俵袋に収納する物に応じて適宜素材を選択することができる。
【００１６】
上端部１２、下端部１６に取着した紐２１は、装飾性を持たせるために生地に合わせた美しい紐を用いることが望ましい。また、図６に示すように、上端部に取着する紐２１には吸盤などの吊り下げ具２２を付けても良く、下端部に取着する紐２１にはさらに装飾性を持たせるために、鈴や、房等を付けても良い。また、化粧用小物、裁縫用小物、アクセサリー等を入れて鞄等に収納するためには、嵩張らないように紐２１だけであっても良く、さらには、紐２１がなくても良い。また、胴部１５の開口部２３にはファスナーや雄、雌の面ファスナーを取着して閉じるようにしても良い。
【００１７】
図７に示すように、下端部１６の末端を結束、閉鎖して、上端部１２に上部ヒダ１３と下端部１６に下部ヒダ１７を有し、前記上端部１２に紐通し２４を設けて紐２１を挿通し、胴部１５の側端部１４は縫い合わせて閉じ、上部１１を開口部２３とし、紐２１を緩めて開口部２３を開けたり、引き締めて開口部２３を閉じたりすることができる巾着状の俵袋２００とすることができる。巾着状俵袋２００の開口部の紐通しに挿通する紐２１に止め具２５を取着して、紐２１が滑って開口部が急に開かないようにすることもできる。紐２１に取着する止め具２５は紐２１を締め付けるバネが着いた止め金具や陶器でできたものなど、紐２１が緩んで開口しないようにするものであれば、その構造、材質は特に限定されるものではない。
【図面の簡単な説明】
【００１８】
【図１】図１は、俵袋の生地の表側にヒダを作る工程の斜視図である。
【図２】図２は、表側にヒダを作った生地の上端部、下端部に紐を縫いつけた工程の斜視図である。
【図３】図３は、ヒダを付けた生地を裏返して二つ折りにした斜視図である。
【図４】図４は、二つ折りにした生地の上端部、及び下端部を縫い合わせた斜視図である。
【図５】図５は、上端部、及び下端部を縫い合わせてそれぞれの末端を結束した斜視図である。
【図６】図６は、末端を結束後、袋を反転させた俵袋の斜視図である。
【図７】図７は、上端部に紐通しを設けて、紐を通した巾着状の俵袋の斜視図である。
【符号の説明】
【００１９】
１００：俵袋
２００：巾着絞り俵袋
１１：上部
１２：上端部
１３：上部ヒダ
１４：側端部
１５：胴部（袋部）
１６：下端部
１７：下部ヒダ
１８：縫い目
１９：折り目
２０：底部
２１：紐
２２：吊り下げ具（吸盤）
２３：開口部
２４：紐通し
２５：止め具
【図１】
2006094937.tif 000003
【図２】
2006094937.tif 000004
【図３】
2006094937.tif 000005
【図４】
2006094937.tif 000006
【図５】
2006094937.tif 000007
【図６】
2006094937.tif 000008
【図７】
2006094937.tif 000009